【手続補正書】
【提出日】平成27年11月9日(2015.11.9)
【手続補正１】
【補正対象書類名】明細書
【補正対象項目名】０００１
【補正方法】変更
【補正の内容】
【０００１】
本発明は、工作機械において、ワークに対して加工に必要な角度をなすように工具の旋回位置を位置決めする工具の旋回位置決め装置および旋回位置決め方法に関する。
【手続補正２】
【補正対象書類名】明細書
【補正対象項目名】０００５
【補正方法】変更
【補正の内容】
【０００５】
したがって本発明の目的は、上記問題に鑑み、工作機械においてワークに対して加工に必要な角度をなす位置に工具を固定する位置決め作業を容易にする低コストの位置決め装置および位置決め方法を提供することにある。
【手続補正３】
【補正対象書類名】明細書
【補正対象項目名】０００６
【補正方法】変更
【補正の内容】
【０００６】
上記目的を実現するために、本発明の工具の旋回位置決め装置によれば、ワークを加工する工具を旋回自在に支持する刃物台を備えた工作機械に設けられ、工具を所定の旋回角度に位置決めする工具の旋回位置決め装置において、工具を、旋回角度に応じた位置に移動させる移動手段と、工具と一体的に移動及び旋回する当接部と、工具の旋回によって当接部と当接するストッパとを設け、移動手段によって移動した工具の旋回により、当接部がストッパに当接し、工具の旋回が規制されることによって工具の位置決めが行われるように構成される。
【手続補正４】
【補正対象書類名】明細書
【補正対象項目名】０００７
【補正方法】変更
【補正の内容】
【０００７】
本発明の第１の態様として、上記当接部を、工具を保持する工具ホルダの周面とし、上記ストッパを、工作機械側に着脱自在に取り付けられ、工作機械のワークの装着部に対して予め定められた位置に配置されるストッパ部材とすることができる。
【手続補正５】
【補正対象書類名】明細書
【補正対象項目名】０００８
【補正方法】変更
【補正の内容】
【０００８】
また、本発明の第２の態様として、前記当接部を、工具の周面とし、前記ストッパを前記主軸に把持されたワークとしてもよい。
【手続補正６】
【補正対象書類名】明細書
【補正対象項目名】０００９
【補正方法】変更
【補正の内容】
【０００９】
また、本発明の工具の旋回位置決め方法によれば、ワークを加工する工具を旋回自在に支持する刃物台を備えた工作機械で、工具を所定の旋回角度に位置決めする工具の旋回位置決め方法において、工具を、前記旋回角度に応じた位置に移動させ、工具と一体的に移動及び旋回する当接部を、工具の旋回によって当接部と当接するストッパに当接させ、工具の旋回が規制されることによって工具の位置決めを行う。
【手続補正７】
【補正対象書類名】明細書
【補正対象項目名】００１０
【補正方法】変更
【補正の内容】
【００１０】
本発明の第１の態様によれば、上記当接部を、工具を保持する工具ホルダの周面とし、上記ストッパを、工作機械側に着脱自在に取り付けられ、工作機械のワークの装着部に対して予め定められた位置に配置されるストッパ部材とし、工具を旋回させ、工具ホルダの周面を、工作機械側に装着されたストッパに当接させることによって工具の位置決めを行うことができる。
【手続補正８】
【補正対象書類名】明細書
【補正対象項目名】００１１
【補正方法】変更
【補正の内容】
【００１１】
本発明の第２の態様によれば、上記当接部を、工具の周面とし、前記ストッパを前記主軸に把持されたワークとし、工具を旋回させ、工具の周面を、前記ワークに当接させることによって前記工具の位置決めを行うことができる。
【手続補正９】
【補正対象書類名】明細書
【補正対象項目名】００１２
【補正方法】変更
【補正の内容】
【００１２】
本発明によれば、工作機械においてワークに対して加工に必要な角度をなす位置に工具を固定する位置決め作業を容易にする低コストの工具の旋回位置決め装置および工具の旋回位置決め方法を実現することができる。
【手続補正１０】
【補正対象書類名】明細書
【補正対象項目名】００１３
【補正方法】変更
【補正の内容】
【００１３】
本発明の第１の態様によれば、工具ホルダの周面をストッパに当接させ、その位置で工具ホルダを固定するだけで工具の位置決めをすることができるので、作業が容易であり、旋回角度を示す目盛盤を用いないことから作業者による目盛の読み間違えもない。また、工具ホルダの固定作業は、工具ホルダの周面をストッパに押し当てながら行うので、工具の位置にずれが生じる可能性も少ない。また、工作機械にはストッパを取り付ける穴を設け、工具ホルダに旋回手段を設けるだけでよいので、比較的容易に工具の旋回位置決め装置を実現することができ、また低コストである。ストッパ自体は位置決め作業が終われば取り外すことができるので、その後の工作機械の動作に影響を与えることもない。
【手続補正１１】
【補正対象書類名】明細書
【補正対象項目名】００１４
【補正方法】変更
【補正の内容】
【００１４】
本発明の第２の態様によれば、工具の周面をワークに当接させ、その位置で工具ホルダを固定するだけで工具の位置決めをすることができるので、作業が容易であり、旋回角度を示す目盛盤を用いないことから作業者による目盛の読み間違えもない。また、工具ホルダの固定作業は、工具の周面をワークに押し当てながら行うので、工具の位置にずれが生じる可能性も少ない。また、旋回手段を支持台と工具ホルダとの間に設けるだけでよいので、比較的容易に工具の旋回位置決め装置を実現することができ、また低コストである。
【手続補正１２】
【補正対象書類名】特許請求の範囲
【補正対象項目名】全文
【補正方法】変更
【補正の内容】
【特許請求の範囲】
【請求項１】
ワークを加工する工具を旋回自在に支持する刃物台を備えた工作機械に設けられ、前記工具を所定の旋回角度に位置決めする工具の旋回位置決め装置において、
前記工具を、前記旋回角度に応じた位置に移動させる移動手段と、前記工具と一体的に移動及び旋回する当接部と、前記工具の旋回によって前記当接部と当接するストッパとを設け、
前記移動手段によって移動した前記工具の旋回により、前記当接部が前記ストッパに当接し、前記工具の旋回が規制されることによって前記工具の位置決めが行われるように構成されることを特徴とする工具の旋回位置決め装置。
【請求項２】
前記当接部は、工具を保持する工具ホルダの周面であり、前記ストッパは、前記工作機械側に着脱自在に取り付けられ、前記工作機械のワークの装着部に対して予め定められた位置に配置されるストッパ部材である請求項１に記載の工具の旋回位置決め装置。
【請求項３】
前記当接部は、工具の周面であり、前記ストッパを前記主軸に把持されたワークとした請求項１に記載の工具の旋回位置決め装置。
【請求項４】
ワークを加工する工具を旋回自在に支持する刃物台を備えた工作機械で、前記工具を所定の旋回角度に位置決めする工具の旋回位置決め方法において、
前記工具を、前記旋回角度に応じた位置に移動させ、前記工具と一体的に移動及び旋回する当接部を、前記工具の旋回によって前記当接部と当接するストッパに当接させ、前記工具の旋回を規制されることによって前記工具の位置決めを行うことを特徴とする工具の旋回位置決め方法。
【請求項５】
前記当接部は、工具を保持する工具ホルダの周面であり、前記ストッパは、前記工作機械側に着脱自在に取り付けられ、前記主軸に対して予め定められた位置に配置されるストッパ部材であり、
前記工具を旋回させ、前記工具ホルダの周面を、工作機械側に装着されたストッパに当接させることによって前記工具の位置決めを行う請求項４に記載の工具の旋回位置決め方法。
【請求項６】
前記当接部は、工具の周面であり、前記ストッパは、前記主軸に把持されたワークであり、
前記工具を旋回させ、前記工具の周面を、前記ワークに当接させることによって前記工具の位置決めを行う請求項４に記載の工具の旋回位置決め方法。